(57)【要約】  【課題】  活きたミミズ等を針に突き通し易く、容易に釣針にミミズ等を取り付け得る餌付け具を提供する。  【解決手段】  この餌付け具は、本体部１と、本体部１の長手方向に延びるように連結された刺し針２と、本体部１の長手方向（刺し針２の延伸方向）に本体部１内に出し入れ自在に連結される延板部３とを有している。延板部３は本体部１の先端側端部から長手方向先端側に延びる薄板型の部材である。延板部３は刺し針２に対して一定の間隔を隔てて並行に延びており、刺し針２に向かって幅方向中央が凹入する湾曲面を有する。この湾曲面にミミズＸを載置して、ミミズＸに刺し針２を突き刺す。【選択図】  図２
2005168373.tif 000002
【特許請求の範囲】
【請求項１】
魚釣りの際の餌となるミミズ，ゴカイ，イソメなどの環型動物を釣針に取り付けるための餌付け具であって、
本体部と、
前記本体部に連結され先端に釣針係止部分を有する刺し針と、
前記本体部に連結され前記刺し針に対して一定の間隔を隔てて並行に延びる餌置き面を有する延板部と、
を備えた、餌付け具。
【請求項２】
前記延板部は弾性部材から形成されており、前記刺し針を両側面から覆うような側壁を有している、請求項１に記載の餌付け具。
【請求項３】
前記延板部は前記本体部内に出し入れ自在に連結されている、請求項２に記載の餌付け具。
【請求項４】
前記餌置き面は幅方向中央部分が凹入する湾曲面である、請求項２又は３に記載の餌付け具。
【発明の詳細な説明】
【技術分野】
【０００１】
本発明は、魚釣りの際に釣針にミミズ等の魚餌を取り付けるための餌付け具に関する。
【背景技術】
【０００２】
魚釣りの際には、餌として、ミミズ，ゴカイ，イソメなどの小動物を利用することも多い。このような餌を活きたまま釣針に取り付けて釣りをおこなう。このような活きたままのミミズなどを湾曲した小さな釣針に取り付けるのは煩雑である。様々な餌付け用の道具が提供されている。例えば、ある餌付け用道具は針部を有し、その針部分の先端が注射針のように尖り、パイプ状になっている。この釣餌取付け具を使用する時は針部に釣餌のミミズなどを差し通した後に針部の先端に釣針を引っ掛けて指で釣餌を釣針の方へ移動させて釣針に差し通すようにしてミミズ等の餌が釣針に取り付けられる（図７参照）。
【０００３】
しかし、生き餌であるミミズ等を釣針の方へ移動させてスム−スに餌を取り付けることは困難な作業である。そこで、ミミズ等の餌を釣針の方へ移動させる作業を容易に行うことができるように工夫された道具も提供されている（特許文献１参照）。この特許文献における技術は、針部をチューブ状の釣餌押圧体に対して出し入れ自在としている。釣針の生き餌をつけた後に、針部を釣得押圧体内に収納し、釣餌押圧体で生き餌を釣針側に押し出すのである。
【０００４】
しかし、このような道具を利用しても、ミミズ等の生き餌に針部を差し込むに煩雑さは十分に解消されない。即ち、生きた餌を針部に差し込む際には、生き餌が暴れてうまく針部を突き通し難い。
【特許文献１】実開平6-57174号公報
【発明の開示】
【発明が解決しようとする課題】
【０００５】
本発明は、活きたミミズ等を針に突き通し易く、容易に釣針にミミズ等を取り付け得る餌付け具を提供することにある。
【課題を解決するための手段】
【０００６】
本発明の餌付け具は、魚釣りの餌となるミミズ，ゴカイ，イソメなどの環型動物を釣針に取り付けるための餌付け具である。本体部と、本体部に連結され先端に釣針係止部分を有する刺し針と、本体部に連結され刺し針に対して一定の間隔を隔てて並行に延びる餌置き面を有する延板部とを備えている。
【０００７】
この餌付け具では、延板部の餌置き面にミミズ等を載せながら、餌置き面の上に配置されているミミズ等に刺し針を突き刺してゆく。餌置き面にミミズ等を載せながら刺し針に突き刺してゆくことで、ミミズ等が暴れても刺し針にミミズ等を誘導し易い。刺し針のミミズ等に貫通させた後には、ミミズ等から突出した刺し針の先端の釣針係止部分に釣針を係止し、刺し針から釣針上へミミズ等をスライドさせて、釣針上にミミズを取り付ける。
【０００８】
また、延板部を弾性部材から形成し、刺し針を両側面から覆うような側壁を有するものとしてもよい。この場合には、延板部の餌置き面にミミズ等を載置し、ユーザは延板部の側壁を摘んで側壁でミミズ等を押さえ込む。そして、順次、ミミズ等を餌置き面上で差し針方向へスライドさせ、刺し針をミミズ等に突き刺してゆく。側壁でミミズ等を押さえ込むことで、活きたミミズ等が暴れるのを押さえ、刺し針の突き刺しを容易にする。
【０００９】
さらに、延板部は本体部内に出し入れ自在に連結してもよい。このような餌付け具においては、延板部にミミズ等を載置して側壁を摘んでミミズを押さえ込む。この状態で、延板部を本体部に収納してゆき、刺し針をミミズ等に突き刺してゆく。
【００１０】
なお、餌置き面は幅方向中央部分が凹入する湾曲面としてもよい。ミミズを餌置き面に載置し易くするものである。
【発明の効果】
【００１１】
本発明の餌付け具によれば、活きたミミズ等も容易に釣針に取り付けることができる。
【発明を実施するための最良の形態】
【００１２】
［第１実施形態］
以下、本発明の第１実施形態につき、図面を参照しつつ説明する。
【００１３】
図１に示すように、本発明の第１実施形態を採用した餌付け具は、本体部１と、本体部１の長手方向に向かって延びている刺し針２と、本体部１の長手方向（刺し針２の延びる方向）に連結される延板部３とを有している。
【００１４】
本体部１は合成樹脂等で形成される中空の部材である。その内部には延板部３が収納されており、長手方向先端にこの延板部３が出入りするための開口が形成されている。本体部１の形状は任意に設定可能であるが、この例では、円柱を半割したような形状を採用している。上述の開口の形状は、後述の延板部３の断面形状にあわせて形成されている（図２及び図３参照）。一方、長手方向後端は開口しており底栓４が脱着自在にこの後端を閉塞している。さらに、本体部１の左右の周面には長手方向に延びる割り１ａが形成されている。割り１ａは本体部１の長手方向後端縁に至るものである。そして、スライダ５が本体部１の後端からこの割り１ａに噛み合わされて挿入されており、長手方向にスライド移動可能になっている。割り１ａには凹凸を形成する等して、スライダ５を任意の長手方向位置において位置決め可能としても良く、その他任意の位置決め手段をスライダ５に設けても良い。
【００１５】
刺し針２は、本体部１の先端側の端面に連結されている。刺し針２の長手方向の長さは、用途に応じて設定されるものであり、魚の餌となるミミズ、ゴカイ、イソメなどの全長にあわせて設定される。刺し針２は空中のパイプ状のものを利用しても良い。この刺し針２の先端には釣針を連結可能な穴若しくは溝が形成されている（釣針係止部分）。
【００１６】
延板部３はスライダ５に後端を連結し先端を上述の本体部１の開口から外部に突出させつつ出し入れ自在に本体部１内に収納されている。即ち、延伸部３はスライダ５の長手方向のスライド移動に従って、本体部１内から先端側に出入りする。延板部３の軸方向長さは、本体部１の軸長方向長さに凡そ等しく、刺し針２の軸長方向長さの２倍程度の長さを有している。
【００１７】
この延板部３はシリコンゴム等のゴム素材から形成される部材であって、パイプを長手方向に半割したような形であり、半割パイプの内周面がミミズ等の餌を載置する餌置き面となっている。この餌置き面から一定の距離を隔てて刺し針２が位置することになる。このような半割パイプ型の延板部３の幅方向両端の両側は一定の高さを有する壁面となっている。その高さはミミズ等の餌の径より大きい程度である。従って、この餌置き面内にミミズ等の餌が十分に収納されることになる（図３参照）。
【００１８】
この餌付け具は、例えば、ミミズＸを釣針Ｆに取り付けるために、以下のようにして用いられる。図４(a)に示すように、まず、本体部１から延板部３を全て延伸させた状態で、延板部３の餌置き面の差し針２の先端側にミミズＸを載置する。そして、延板部３の両壁面を指で摘んでミミズＸを押さえつける。続いて、図４(b)に示すように、摘んだ延板部３を徐々に本体部１内に収納してゆき、差し針２にミミズＸを突き刺してゆく。餌置き面にミミズＸを載せて、且つ、壁面でミミズＸを押さえつけながら刺し針２にミミズＸを突き刺してゆくことで、ミミズＸが暴れてもミミズＸに刺し針２を突き刺し易い。図４(b)に示すように、ミミズＸに刺し針２を貫通させた後には、ミミズＸから飛び出した刺し針２の先端の穴・溝に釣針Ｆを係止し、再度、延板部３の側壁でミミズＸを抑えながら延板部３を本体部１から引き出し、刺し針２から釣針Ｆ上へとミミズＸをスライドさせて、釣針ＦにミミズＸを取り付ける（図５参照）。なお、図4(c)に示すように、延板部３の本体部１への出し入れには、スライダ５を利用することもできる。
【００１９】
［他の実施形態］
上記実施形態においては、延板部を本体部に対して出し入れ自在としているが、延板部は本体部に対して出し入れ自在ではなくても足りる。このような餌付け具に於いては、例えば、図６に示すように、延板部１３の上にミミズＸ等を載置し、ミミズＸを延板部１３の餌置き面上でスライド移動させて刺し針１２に突き刺してゆく。餌置き面にミミズＸ等を載せながら刺し針１２に突き刺してゆくことで、ミミズＸ等が暴れても刺し針１２にミミズ等を誘導し易い。
【図面の簡単な説明】
【００２０】
【図１】本発明の第１実施形態を採用した餌付け具を示した図。
【図２】図１の餌付け具の本体部１の先端側の端面を示した図。
【図３】図１の餌付け具の参考図。
【図４】図１の餌付け具の使用方法を示した図。
【図５】図１の餌付け具と釣針Ｆとを示した図。
【図６】他の実施形態を採用した餌付け具を示した図。
【図７】従来の「ミミズ通し」の使用方法を示した図。
【符号の説明】
【００２１】
１  本体部
２，１２  刺し針
３，１３  延板部
５  スライダ
Ｘ  ミミズ
Ｆ  釣針
【図１】
2005168373.tif 000003
【図２】
2005168373.tif 000004
【図３】
2005168373.tif 000005
【図４】
2005168373.tif 000006
【図５】
2005168373.tif 000007
【図６】
2005168373.tif 000008
【図７】
2005168373.tif 000009